(57)【要約】受信装置、ビデオリフレッシュ周波数の制御方法、装置及びシステムを提供する。当該方法は、一つ又は複数のビデオフレームを含むビデオストリーム及びビデオストリームの第１のリフレッシュ周波数を受信すること（Ｓ１０２）と、ビデオストリームをフレームバッファエリアに記憶すること（Ｓ１０４）と、フレームバッファエリア中の各ビデオフレームを呼び出し、第１のリフレッシュ周波数より小さい第２のリフレッシュ周波数に従って、各ビデオフレームの出力時間を制御すること（Ｓ１０６）とを含む。当該方法は、パネル側のエネルギー性能を改善することによって表示システム全体のエネルギー消費を低減する。【選択図】図２
2015511321.tif 000002
【特許請求の範囲】
【請求項１】
一つ又は複数のビデオフレームを含むビデオストリーム及び前記ビデオストリームの第１のリフレッシュ周波数を受信することと、
前記ビデオストリームをフレームバッファエリアに記憶することと、
前記フレームバッファエリア中の各ビデオフレームを呼び出し、第１のリフレッシュ周波数より小さい第２のリフレッシュ周波数に従って各ビデオフレームの出力時間を制御することと、
を含むことを特徴とするビデオリフレッシュ周波数の制御方法。
【請求項２】
前記ビデオストリームをフレームバッファエリアに記憶した後、
ハンドシェイク信号を生成してビデオソース端に送信することと、
前記ビデオソース端が前記ハンドシェイク信号に基づいて、前記ビデオストリームの出力をＯＦＦすることと、を更に含み、
前記ビデオソース端が、前記ビデオストリームを生成して前記第１のリフレッシュ周波数に従って前記ビデオストリームを送信することを特徴とする請求項１に記載の方法。
【請求項３】
前記ビデオソース端が、電源をＯＦＦする又は前記ビデオソース端をＯＦＦすることによって、前記ビデオストリームの出力をＯＦＦすることを特徴とする請求項２に記載の方法。
【請求項４】
ビデオソース端が前記ハンドシェイク信号に基づいて、ビデオストリームの出力をＯＦＦした後、
所定の条件で前記ビデオソース端をＯＮさせ、前記第１のリフレッシュ周波数を更新した後、前記ビデオソース端が新しいビデオストリームを送信することを更に含むことを特徴とする請求項２に記載の方法。
【請求項５】
所定の条件で前記ビデオソース端をＯＮさせるステップが、
所定の期間内に前記ビデオソース端をＯＮさせるか、又はトリガー信号に応じて前記ビデオソース端をＯＮさせるように制御することを含むことを特徴とする請求項４に記載の方法。
【請求項６】
タイミング・コントローラーＴＣＯＮによって、前記第２のリフレッシュ周波数が一定に保たれるか、或いは、一つ又は複数の周波数間で切り替えられるように制御することを特徴とする請求項１ないし５のいずれかに記載の方法。
【請求項７】
第２のリフレッシュ周波数に従って各ビデオフレームの出力時間を制御するステップが、
前記タイミング・コントローラーＴＣＯＮ中のクロックジェネレータが、前記ビデオフレームの出力時間を制御するための制御信号を生成して、前記ビデオフレームの定時且つ同期送信を制御することを含むことを特徴とする請求項２に記載の方法。
【請求項８】
一つ又は複数のビデオフレームを含むビデオストリーム及び前記ビデオストリームの第１のリフレッシュ周波数を受信する受信ポートと、
前記ビデオストリームを記憶するフレームバッファエリアを有するフレームバッファチップと、
前記フレームバッファエリア中の各ビデオフレームを呼び出し、前記第１のリフレッシュ周波数より小さい第２のリフレッシュ周波数に従って各ビデオフレームの出力時間を制御するタイミング・コントローラーＴＣＯＮと、
を備えることを特徴とする受信装置。
【請求項９】
前記タイミング・コントローラーＴＣＯＮのクロックジェネレータが、前記ビデオフレームの出力時間を制御するための制御信号を生成して、前記ビデオフレームの定時且つ同期送信を制御することを特徴とする請求項８に記載の受信装置。
【請求項１０】
請求項８又は９に記載の受信装置を備え、
前記ビデオストリームを生成して前記第１のリフレッシュ周波数に従って前記ビデオストリームを前記受信装置に送信するビデオソース端を更に備えることを特徴とするビデオリフレッシュ周波数の制御システム。
【請求項１１】
前記ビデオソース端が、
前記ビデオストリームを生成するメモリチップと、
前記メモリチップにおける前記ビデオストリーム中の各ビデオフレームを呼び出し、第２のリフレッシュ周波数に従って各ビデオフレームの出力時間を制御する制御チップと、
前記ビデオストリームを送信する送信ポートと、
を含むことを特徴とする請求項１０に記載のシステム。
【請求項１２】
前記メモリチップがメモリ中のフレームバッファであることを特徴とする請求項１１に記載のシステム。
【請求項１３】
前記フレームバッファチップに前記ビデオストリームを記憶した後、前記タイミング・コントローラーＴＣＯＮがハンドシェイク信号を生成して前記ビデオソース端に送信し、前記ビデオソース端が前記ハンドシェイク信号に基づいて前記ビデオストリームの出力をＯＦＦすることを特徴とする請求項１１に記載のシステム。
【請求項１４】
前記ビデオソース端が、電源をＯＦＦするか又は前記ビデオソース端をＯＦＦすることによって、前記ビデオストリームの出力をＯＦＦすることを特徴とする請求項１３に記載のシステム。
【請求項１５】
一つ又は複数のビデオフレームを含むビデオストリーム及び前記ビデオストリームの第１のリフレッシュ周波数を受信する受信モジュールと、
前記受信モジュールに接続され、前記ビデオストリームをフレームバッファエリアに記憶する画像データ記憶モジュールと、
前記画像データ記憶モジュールに接続され、前記フレームバッファエリア中の各ビデオフレームを読み出し、前記第１のリフレッシュ周波数より小さい第２のリフレッシュ周波数に従って各ビデオフレームの出力時間を制御する制御モジュールと、
を含むことを特徴とするビデオリフレッシュ周波数の制御装置。
【請求項１６】
ハンドシェイク信号を生成する生成モジュールと、
前記生成モジュールに接続され、前記ビデオストリームを生成して前記第１のリフレッシュ周波数に従って前記ビデオストリームを送信するビデオソース端に前記ハンドシェイク信号を送信する送信モジュールと、を更に含み、
前記ビデオソース端が、前記ハンドシェイク信号に基づいてビデオストリームの出力をＯＦＦすることを特徴とする請求項１５に記載の装置。
【請求項１７】
前記制御モジュールが、
前記画像データ記憶モジュールに接続され、前記ビデオフレームの定時且つ同期送信を制御するように、前記ビデオフレームの出力時間制御用の制御信号を生成するクロックジェネレータモジュールを含むことを特徴とする請求項１５に記載の装置。
【発明の詳細な説明】
【技術分野】
【０００１】
本発明は、液晶ディスプレイ分野に関し、具体的に、受信装置、ビデオリフレッシュ周波数の制御方法、装置及びシステムに関する。
【背景技術】
【０００２】
タイミング・コントローラー（ＴＣＯＮ）は、液晶ディスプレイ中のサブシステムチップである。上流（マルチメディアプロセッサ又はＧＰＵ）からのビデオストリームデータを受信し、ビデオストリームを再構築し、駆動ソースによって素子ＩＣを駆動することで、ビデオストリームを画面に表示する。
【０００３】
ｅＤＰインターフェースは、ＶＥＳＡに所属する標準表示インターフェースである。はめ込み式アプリ用として定義され、例えば、タイミング・コントローラーＴＣＯＮのビデオ入力インターフェースとすることができる。パネルセルフリフレッシュ（ＰＳＲ）機能は、ｅＤＰの選択可能な特徴で、このＰＳＲの特徴によって、表示する画像が複数の静態表示フレームを有する場合、システムレベルのエネルギー消費を節約できる。受信装置（sink device）は、受信器中の遠隔フレームバッファモジュールないしフレームバッファモジュールチップ（ＲＦＢ）の一部に静態画像を記憶して当該画像を表示すると共に、メインＤＰリンクをＯＦＦでき、またビデオの発生ソース（例えば、ＣＰＵ又はＧＰＵ）をＯＦＦすることもできる。
【０００４】
上記の既存技術に用いられるｅＤＰ標準技術は、ｅＤＰビデオソース端をＯＦＦする（ＧＰＵをＯＦＦしてもよい）ことによって、ＰＳＲ機能の応用中にビデオソース端側で大量のエネルギーを節約することができる。上記の既存の技術によって、既にビデオソース端側の省エネルギーの効果を実現したが、エネルギーに対して敏感である環境、例えば、ノートパソコン、タブレットＰＣ、携帯電話の使用中において、パネル表示側のエネルギー消費は依然として大きく、システム全体のエネルギー性能は依然として悪い。
【０００５】
現在、関連技術においてパネルセルフリフレッシュ機能を使用する場合、パネル表示側のエネルギー消費がかなり大きいので、ＰＳＲ機能を応用した後であってもシステム全体のエネルギー性能が悪いという問題に対し、まだ有効な解決案が提案されていない。
【発明の概要】
【発明が解決しようとする課題】
【０００６】
関連技術においてパネルセルフリフレッシュ機能を使用する場合、パネル表示側のエネルギー消費が大きいのでシステム全体のエネルギー性能が悪いという問題に対してまだ有効な解決案を提案していないことに鑑み、本発明は、上記ＰＳＲを応用した条件で表示機器のエネルギー消費を継続して節約できる受信装置、ビデオリフレッシュ周波数の制御方法、装置及びシステムを提供することをその主な目的とする。
【課題を解決するための手段】
【０００７】
上記目的を達成するために、本発明の一態様によると、一つ又は複数のビデオフレームを含むビデオストリーム及びビデオストリームの第１のリフレッシュ周波数を受信することと、ビデオストリームをフレームバッファエリアに記憶することと、フレームバッファエリア中の各ビデオフレームを呼び出し、第１のリフレッシュ周波数より小さい第２のリフレッシュ周波数に従って各ビデオフレームの出力時間を制御することと、を含むビデオリフレッシュ周波数の制御方法を提供する。
【０００８】
ビデオストリームをフレームバッファエリアに記憶した後、上記方法は、ハンドシェイク信号を生成してビデオソース端に送信することと、ビデオソース端がハンドシェイク信号に基づいてビデオストリームの出力をＯＦＦすることと、を更に含み、ビデオソース端がビデオストリームを生成して第１のリフレッシュ周波数に従ってビデオストリームを送信することが好ましい。
【０００９】
ビデオソース端が、電源をＯＦＦするか又はビデオソース端をＯＦＦすることによって、ビデオストリームの出力をＯＦＦすることが好ましい。
【００１０】
ビデオソース端がハンドシェイク信号に基づいてビデオストリームの出力をＯＦＦした後、上記方法は、所定の条件でビデオソース端をＯＮさせ、第１のリフレッシュ周波数を更新した後、新しいビデオストリームを送信することを更に含むことが好ましい。
【００１１】
所定の条件でビデオソース端をＯＮさせるステップが、所定の期間内にビデオソース端をＯＮさせるか、又はトリガー信号に応じてビデオソース端をＯＮさせるよう制御することを含むことが好ましい。
【００１２】
タイミング・コントローラーＴＣＯＮによって、第２のリフレッシュ周波数が一定に保たれるか、或いは、一つ又は複数の周波数間で切り替えられるように制御することが好ましい。
【００１３】
第２のリフレッシュ周波数に従って各ビデオフレームの出力時間を制御するステップが、タイミング・コントローラーＴＣＯＮ中のクロックジェネレータが、ビデオフレームの出力時間を制御するための制御信号を生成して、ビデオフレームの定時且つ同期送信を制御することを含むことが好ましい。
【００１４】
上記の目的を達成するために、本発明の一態様によると、一つ又は複数のビデオフレームを含むビデオストリーム及びビデオストリームの第１のリフレッシュ周波数を受信する受信ポートと、ビデオストリームを記憶するフレームバッファエリアを有するフレームバッファチップと、フレームバッファエリア中の各ビデオフレームを呼び出し、第１のリフレッシュ周波数より小さい第２のリフレッシュ周波数に従って各ビデオフレームの出力時間を制御するタイミング・コントローラーＴＣＯＮと、を備える受信装置を提供する。
【００１５】
タイミング・コントローラーＴＣＯＮのクロックジェネレータが、ビデオフレームの送信時間を制御するための制御信号を生成して、ビデオフレームの定時且つ同期送信を制御することが好ましい。
【００１６】
上記目的を達成するために、本発明の一態様によると、上記の受信装置を備え、ビデオストリームを生成して第１のリフレッシュ周波数に従ってビデオストリームを受信装置に送信するビデオソース端を更に備えるビデオリフレッシュ周波数の制御システムを提供する。
【００１７】
ビデオソース端が、ビデオストリームを生成するメモリチップと、メモリチップにおけるビデオストリーム中の各ビデオフレームを呼び出し、第１のリフレッシュ周波数に従って各ビデオフレームの出力時間を制御するビデオ処理・制御チップと、ビデオストリームを送信する送信ポートと、を含むことが好ましい。
【００１８】
メモリチップがメモリ中のフレームバッファであることが好ましい。
【００１９】
フレームバッファチップがビデオストリームを記憶した後、タイミング・コントローラーＴＣＯＮがハンドシェイク信号を生成してビデオソース端に送信し、ビデオソース端がハンドシェイク信号に基づいてビデオストリームの出力をＯＦＦすることが好ましい。
【００２０】
ビデオソース端が、電源をＯＦＦするか又はビデオソース端をＯＦＦすることによって、ビデオストリームの出力をＯＦＦすることが好ましい。
【００２１】
上記の目的を達成するために、本発明の他の一態様によると、一つ又は複数のビデオフレームを含むビデオストリーム及びビデオストリームの第１のリフレッシュ周波数を受信する受信モジュールと、受信モジュールに接続され、ビデオストリームをフレームバッファエリアに記憶するビデオ記憶モジュールと、画像データ記憶モジュールに接続され、フレームバッファエリア中の各ビデオフレームを呼び出し、第１のリフレッシュ周波数より小さい第２のリフレッシュ周波数に従って各ビデオフレームの出力時間を制御する制御モジュールと、を含むビデオリフレッシュ周波数の制御装置を提供する。
【００２２】
上記装置は、ハンドシェイク信号を生成する生成モジュールと、生成モジュールに接続され、ビデオストリームを生成して第１のリフレッシュ周波数に従ってビデオストリームを送信するビデオソース端にハンドシェイク信号を送信する送信モジュールと、を更に含み、ビデオソース端が、ハンドシェイク信号に基づいてビデオストリームの出力をＯＦＦすることが好ましい。
【００２３】
制御モジュールが、画像データ記憶モジュールに接続され、ビデオフレームの定時且つ同期送信を制御するように、ビデオフレームの出力時間制御用の制御信号を生成するクロックジェネレータモジュールを含むことが好ましい。
【発明の効果】
【００２４】
本発明によれば、一つ又は複数のビデオフレームを含むビデオストリーム及びビデオストリームの第１のリフレッシュ周波数を受信し、ビデオストリームをフレームバッファエリアに記憶し、フレームバッファエリア中の各ビデオフレームを呼び出して第１のリフレッシュ周波数より小さい第２のリフレッシュ周波数に従って各ビデオフレームの出力時間を制御することによって、関連する既存技術においてパネルセルフリフレッシュ機能を使用する場合に、パネル表示側のエネルギー消費が大きいので、システム全体のエネルギー性能が悪いという問題を解決することができ、更に、パネル側のエネルギー性能を改善することで、表示システム全体のエネルギーの効果を向上させることができる。
【図面の簡単な説明】
【００２５】
ここで説明する図面は本発明を理解するためのもので、本発明の一部を構成し、本発明における実施例及びその説明と共に本発明を解釈し、本発明を不当に制限するものと解釈されるべきではない。
【図１】図１は、本発明の実施例に係るビデオリフレッシュ周波数の制御システムの構成を示す図である。
【図２】図２は、本発明の実施例に係るビデオリフレッシュ周波数の制御方法を示すフローチャートである。
【図３】図３は、本発明の実施例に係るビデオリフレッシュ周波数の制御方法を詳細に示すフローチャートである。
【図４】図４は、本発明の実施例に係るシームレス技術のアーキテクチャを示す図である。
【図５】図５は、本発明の実施例に係るビデオリフレッシュ周波数の制御装置の構成を示す図である。
【発明を実施するための形態】
【００２６】
ここで、互いに衝突しない限り、本願に記載の実施例及び実施例中の特徴を互いに組み合わせることができる。以下、図面を参照しつつ実施例を結合して本発明を詳しく説明する。
図１は、本発明の実施例に係るビデオリフレッシュ周波数の制御システムの構成を示す図である。
図１に示すように、当該システムは、ビデオソース端１０と、受信装置３０と、を備える。
ここで、ビデオソース端１０は、ビデオストリームを生成して第１のリフレッシュ周波数に従ってビデオストリームを受信装置３０に送信する。
【００２７】
上記受信装置３０は、一つ又は複数のビデオフレームを含むビデオストリーム及びビデオストリームの第１のリフレッシュ周波数を受信する受信ポートと、ビデオストリームを記憶するフレームバッファエリアを含むフレームバッファチップと、フレームバッファエリア中の各ビデオフレームを呼び出し、第２のリフレッシュ周波数に従って各ビデオフレームの出力時間を制御するタイミング・コントローラーＴＣＯＮと、を含むことができ、ここで、第１のリフレッシュ周波数は第２のリフレッシュ周波数より大きい。
【００２８】
本願の上記実施例は、受信装置３０においてディスプレイ画面のリフレッシュ周波数を調整することで、具体的には、リフレッシュ周波数を低減させることによって、パネルセルフリフレッシュに基づく動的周波数リフレッシュ技術ＰＳＲ-ＤＲＲＣを提供し、タイミング・コントローラーＴＣＯＮがフレームバッファエリア中のビデオフレームを、最初のリフレッシュ周波数未満の条件で各ビデオフレームの出力時間を制御することによって、システムレベルを変更させずに、より多いシステムエネルギーを節約でき、システムのＰＳＲモードでのパネル側エネルギーを節約できる。そして、エネルギーの節約は、如何なる視覚欠陥もない程度まで調整できる。また、タイミング・コントローラーＴＣＯＮからＬＣＤソースドライバへの出力インターフェースも通常モードにおいて駆動側で如何なる同期動作も行わない。
【００２９】
上記実施例はｅＤＰ規格に定義されたＰＳＲモードを改善し、パネル側エネルギーを節約するメリットを有するので、パネル側のエネルギー性能を改善できる。当該改善は、エネルギーに対して敏感である環境、例えばノートパソコンや、タブレットＰＣ、携帯電話等にかなり重要である。
【００３０】
本願の上記実施例中のビデオソース端１０は、ビデオストリームを生成するメモリチップ（メモリ中のフレームバッファ）と、メモリチップにおけるビデオストリーム中の各ビデオフレームを呼び出し、第２のリフレッシュ周波数に従って各ビデオフレームの出力時間を制御するＦＢ制御チップと、ビデオストリームを送信する送信ポートと、を備えることができる。フレームバッファチップがビデオストリームを記憶した後、タイミング・コントローラーＴＣＯＮはハンドシェイク信号を生成してビデオソース端１０に送信し、ビデオソース端１０はハンドシェイク信号に基づいてビデオストリームの出力を中断することが好ましく、電源ＯＦＦ又はビデオソース端ＯＦＦ等によってビデオストリームの出力をＯＦＦすることができ、つまり、この時ビデオソース端は新しいビデオフレームを送信する必要がない。
【００３１】
上記実施例によれば、パネル側の省エネルギーを実現すると共に、更に他のソース電極機能をＯＦＦすることで省エネルギーを実現する。従って、本願の実施例でのＰＳＲモードの主なメリットは、ビデオソース端１０とパネル側のエネルギー消費を同時に節約することで、ユーザが安定したビデオ表示を受信できるとともに、システムレベルのエネルギー消費を一層節約できることにある。
【００３２】
図２は、本発明の実施例に係るビデオリフレッシュ周波数の制御方法を示すフローチャートで、図３は、本発明の実施例に係るビデオリフレッシュ周波数の制御方法を詳しく示すフローチャートである。
図２に示すように、当該方法は以下のステップを含む。
図１に示す受信ポートを介してビデオストリーム及びビデオストリームの第１のリフレッシュ周波数を受信する（ステップＳ１０２）。ビデオストリームは一つ又は複数のビデオフレームを含む。
図１に示すフレームバッファチップによってビデオストリームをフレームバッファエリアに記憶する（ステップＳ１０４）。
図１に示すタイミング・コントローラーＴＣＯＮによってフレームバッファエリア中の各ビデオフレームを呼び出し、第２のリフレッシュ周波数に従って各ビデオフレームの出力時間を制御する（ステップＳ１０６）。ここで、第１のリフレッシュ周波数は第２のリフレッシュ周波数より大きい。
【００３３】
リフレッシュ周波数が低い時、パネルのエネルギー消費も通常状態より少ないので、本願の上記実施例において、受信装置３０でディスプレイ画面のリフレッシュ周波数を調整することによって、具体的に、リフレッシュ周波数を低減させることによって、パネルセルフリフレッシュに基づく動的周波数リフレッシュ技術ＰＳＲ-ＤＲＲＣを提供し、タイミング・コントローラーＴＣＯＮが、フレームバッファエリア中のビデオフレームについて、最初のリフレッシュ周波数より低い条件で各ビデオフレームの出力時間を制御することによって、システムレベルを変更させずに、システムエネルギーを一層節約でき、つまり、システムのＰＳＲモードでのパネル側エネルギーを節約できる。
【００３４】
本願の上記実施例において、ビデオストリームをフレームバッファエリアに記憶した後、方法は、ハンドシェイク信号を生成してビデオソース端１０に送信することと、ビデオソース端１０がハンドシェイク信号に基づいてビデオストリーム出力をＯＦＦすることとを更に含むことができ、ここで、ビデオソース端１０はビデオストリームを生成して第１のリフレッシュ周波数に従ってビデオストリームを送信する。当該ステップにおいて、更にビデオソース端１０の電源をＯＦＦし、エネルギー消費を更に低減する。本願では、電源ＯＦＦ又はビデオソース端ＯＦＦ等によってビデオストリームの出力をＯＦＦすることができ、つまり、この時、ビデオソース端は新しいビデオフレームを送信する必要がない。
【００３５】
そして、ビデオソース端１０がハンドシェイク信号に基づいてビデオストリームの出力をＯＦＦした後、方法は、所定の条件でビデオソース端をＯＮさせ、第１のリフレッシュ周波数を更新した後、ビデオソース端が新しいビデオストリームの送信を開始することを更に含む。この時、ビデオソース端１０は実際状況に応じて、第１のリフレッシュ周波数を低減させてからビデオストリームを送信することができ、これにより、ビデオソース端１０のエネルギー消費をその前の実施例よりも更に低減できる。本願の所定の条件は、所定の期間内にビデオソース端をＯＮさせるか、又はトリガー信号に応じてビデオソース端をＯＮさせるように制御することである。
【００３６】
具体的に、図３に示す詳しいフローチャートを参照し、本願の上記実施例の詳細プロセスを説明すると、以下のとおりである。
先ず、ｅＤＰシステムをＯＮさせ、システムの制御によってＰＳＲモードに入ったと判定した後、ｅＤＰ ＴＣＯＮのＰＳＲモードにおいて、ｅＤＰのビデオソース端１０はビデオフレームを受信することをｅＤＰの受信装置３０に通知し、全てのビデオフレームを初期リフレッシュ周波数に従って受信装置３０に送信し、受信装置３０は受信したビデオフレームを全てフレームバッファチップ（フレームバッファモジュール）ＲＦＢに記憶する。
【００３７】
その後、ビデオソース端１０は受信装置３０から返送されたハンドシェイク信号に基づいて、ビデオストリームをＯＦＦし、或いは、ｅＤＰビデオソース端１０全体の電源をＯＦＦしてもよい。これにより、受信装置３０は上流からのビデオストリームを受信せず、受信装置３０は表示用としてフレームバッファチップ（フレームバッファモジュール）ＲＦＢからビデオストリームを取り出して送信し始め、この時、フレームバッファチップ（フレームバッファモジュール）ＲＦＢに記憶されたビデオストリームは一部のビデオフレームであってもよい。
【００３８】
続いて、受信装置３０中のタイミング・コントローラーＴＣＯＮは、初期リフレッシュ周波数より低いリフレッシュ周波数で、一部のビデオフレームの送信時間を制御する。具体的に、ｅＤＰのタイミング・コントローラーＴＣＯＮは、ビデオフレームの定時且つ同期送信を制御するように、ビデオフレームの送信時間を制御する制御信号を生成することができ、つまり、定時に送信するビデオストリームをタイミング・コントローラーＴＣＯＮ内のクロックジェネレータによって制御することができ、これにより、ピクセルクロック周波数、水平走査周波数、及び半フレーム周波数（リフレッシュ周波数とも呼ばれる）を発生させ、本願の当該ステップにおいて当該タイミング・コントローラーＴＣＯＮにより生成されたリフレッシュ周波数が受信した初期リフレッシュ周波数より低くなるように制御することによって、一部の動的制御でリフレッシュ周波数を低減してパネルエネルギーを一層節約することができる。
【００３９】
上述のように、通常表示モードにおいて、ビデオソース端１０（例えば、ＧＰＵ）はビデオ表示のリフレッシュ周波数を制御し、ビデオソース端１０がＰＳＲモードへ進入したと判定した後、ＲＦＢに受信した各ビデオフレームを順次記憶することを受信装置３０に通知し、その後、コントローラーはタイミング・コントローラーＴＣＯＮを、ビデオフレームを制御する送信時間を生成するように制御することによって、記憶したビデオフレームを表示させ、ビデオフレームを制御する当該送信時間は初期ビデオより低いリフレッシュ周波数である。そして、最後のビデオフレームをＲＦＢに記憶した後、ｅＤＰビデオソース端１０の電源を完全にＯＦＦすることができる。本願の上記実施例に提供されるＰＳＲ-ＤＲＲＣ技術はｅＤＰ規格の強大な補充技術となって、パネルエネルギー消費を一層節約できる。
【００４０】
本願の上記実施例において、タイミング・コントローラーＴＣＯＮによって、第２のリフレッシュ周波数が一定に保たれるか、或いは、一つ又は複数の周波数間で切り替えられるように制御することが好ましい。具体的に、当該実施例において、タイミング・コントローラーＴＣＯＮによって生成される第２のリフレッシュ周波数は、ｅＤＰビデオソース端１０と同じビデオ時間制御を適用することが可能であり（即ち、第１のリフレッシュ周波数と同じ）、また、第２のリフレッシュ周波数は低周波数と高周波数との間で切り替わることができ、これによりＰＳＲモードでの動的リフレッシュ周波数を実現できる。当該実施例の実施において、タイミング・コントローラーＴＣＯＮは受信した異なるトリガー信号に基づいて、現在の第２のリフレッシュ周波数を定め、例えば、受信端末を利用して静態画像を見る動作とマウスでクリックする動作との間で、静態画像を見る動作に必要なエネルギー消費が低いので、静態画像を見る時のビデオリフレッシュ周波数をマウスを利用する時のビデオリフレッシュ周波数より低くすることによって、異なる端末を利用する場合に、システムが異なるリフレッシュ周波数を動的に選択でき、エネルギー消費を一層節約でき、勿論、第２のリフレッシュ周波数を切り替えないこともできる。
【００４１】
以下の表に例として、異なるリフレッシュ周波数を有するビデオサイズ（１２８０x８００）のパラメータを示す。
【表１】
2015511321.tif 000003
【００４２】
図４は、本発明の実施例に係るシームレス技術のアーキテクチャを示す図である。図４に示すように、本願の上記実施例をシームレス技術と組み合わせて、リフレッシュ周波数の変化がタイミング・コントローラーＴＣＯＮからドライバチップへの出力信号に影響を与えることを防止することができ、全ての変化がシームレスであって明らかな視覚欠陥が存在しない。つまり、リフレッシュ周波数が変化する時、シームレス技術によって各種のリフレッシュ周波数間でのシームレス変換中に視覚欠陥が発生しないと共に、パネルのエネルギー消費を節約できる。
【００４３】
また、ＰＳＲ-ＤＲＲＣモードに進入した後、本システムは通常リフレッシュ周波数に戻ることもできる。ビデオリフレッシュ周波数の変化が縦方向帰線消去期間である場合、シームレス技術のインターフェース信号は通常ＰＳＲモードと低エネルギーＰＳＲモードとの間での変換がシームレスな変換であることを確保できる。
【００４４】
ビデオソース端１０が回復し、ｅＤＰを介してビデオフレームを送信すると判定した場合、システムは、ｅＤＰ  ＴＣＯＮに通知し、ｅＤＰとの接続を再確立し、その後、ビデオソース端１０から新しいビデオフレームを送信する。ｅＤＰ受信装置３０は、ＲＦＢからのビデオフレームの読み取りを停止し、ＰＳＲモードから通常表示モードに入る。シームレス技術であるので、当該モードの変換もシームレスなものである。
【００４５】
具体的に、本願の上記実施例に係るシームレス技術によれば、タイミング・コントローラーＴＣＯＮとドライバとのインターフェース信号が安定的なものであるとともに、例えば、ＢＩＳＴモードや、通常表示モード等の全てのモード間での変換がシームレスな変換であることを確保でき、また、ＰＳＲモードにも適用できる。全てのモードの変換はいずれも縦方向帰線消去期間に発生しなければならなく、これにより、表示に視覚欠陥がなくなる。
【００４６】
液晶表示システムを電圧で制御する必要がある場合、当該電圧がキャパシタの充電によって制御され、且つ、各パネルのピクセルキャパシタが１フレームで１回充電されるべきであるので、パネルのエネルギーはビデオリフレッシュ周波数に敏感である。例えば、リフレッシュ周波数が６０Ｈｚである場合、各ＬＣＤピクセルのキャパシタを１回に１６.６7ｍｓで充電しなければならなく、リフレッシュ周波数が５０Ｈｚである場合、ＬＣＤピクセルのキャパシタを１回に２０ｍｓで充電しなければならない。充電期間が延長されるに伴って、充電のエネルギー消費を節約できる。シームレス技術でタイミング・コントローラーＴＣＯＮを活性化させる場合、タイミング・コントローラーＴＣＯＮの出力信号は周波数静態ＰＬＬによって制御され、モード変換において、安定に保たれる。ＰＳＲ-ＤＲＲＣ技術は、当該特性を利用し、動的リフレッシュ周波数で、ＲＦＢからビデオフレームを読み出して表示画像を得るとともに、ソースドライバへのインターフェース信号の送信を停止しない。
【００４７】
例えば、リフレッシュ周波数が６０Ｈｚから５０Ｈｚに変更された場合、パネルの電力消費も大幅に低減される。理論的に、初期のリフレッシュ周波数に比べ、１/６の電力消費を節約できる。
【００４８】
一方、各キャパシタの漏洩電流によって、充電周期がＬＣＤ表示性能に影響を与えてしまう。充電周期が長すぎる（リフレッシュ周波数が低いことを意味する）と、ＬＣＤ表示は前より暗くなる。しかし、リフレッシュ周波数がかなり低くなっていないと、表示性能に明らかな変化が発生しない。当該実験から、リフレッシュ周波数が６０Ｈｚから４０Ｈｚに変更された場合、人の目では明らかな表示変換を検知できないことがわかった。
【００４９】
図４に示す実施例中のＬＶＤＳは例に過ぎないビデオインターフェースで、如何なるビデオインターフェース（例えば、ｅＤＰ）もビデオ入力インターフェースとすることができ、シームレス技術に影響を与えない。この時、出力信号はローカル参照クロック（ＯＳＣクロックソース電極）を有するＴＸＰＬＬによって制御される。ＴＣＯＮにおいて、十分なビデオラインバッファが一つ又は二つのビデオラインのデータを記憶しているので、入力ビデオ（例えば、ＬＶＤＳ又はｅＤＰ又はその他）の、又は局所的に制御されるビデオリフレッシュ率が絶えず変化しても、ＴＣＯＮの出力は如何なるモードでも安定したビッド率（クロック率とも呼ばれる）で正確なビデオコンテンツを送信することができる。
【００５０】
なお、フローチャートに示すステップを例えば１セットのコンピュータ実行可能なコマンドのコンピュータシステムで実行することができ、また、フローチャートにロジック順を示しているが、場合によっては、図に示すステップ又は説明したステップを他の順で行うこともできる。
【００５１】
図５は、本発明の実施例に係るビデオリフレッシュ周波数の制御装置の構成を示す図である。図５に示すように、当該ビデオリフレッシュ周波数の制御装置は、一つ又は複数のビデオフレームを含むビデオストリーム及びビデオストリームの第１のリフレッシュ周波数を受信する受信モジュール２０と、受信モジュール２０に接続され、ビデオストリームをフレームバッファエリアに記憶する画像データ記憶モジュール４０と、画像データ記憶モジュール４０に接続され、フレームバッファエリア中の各ビデオフレームを呼び出し、第２のリフレッシュ周波数に従って各ビデオフレームの出力時間を制御し、最終的に表示装置に表示のタイミング制御要求に応じて表示する制御モジュール６０と、を含み、ここで、第１のリフレッシュ周波数は第２のリフレッシュ周波数より大きい。
【００５２】
本願の上記実施例は、受信装置３０でディスプレイ画面のリフレッシュ周波数を調整することで、具体的には、リフレッシュ周波数を低減させることによって、パネルセルフリフレッシュに基づく動的周波数リフレッシュ技術ＰＳＲ-ＤＲＲＣを提供し、タイミング・コントローラーＴＣＯＮがフレームバッファエリア中のビデオフレームを、最初のリフレッシュ周波数未満の条件で各ビデオフレームの出力時間を制御することによって、システムレベルを変更させずに、より多いシステムエネルギーを節約でき、システムのＰＳＲモードでのパネル側エネルギーを節約できる。そして、エネルギーの節約は、如何なる視覚欠陥もない程度まで調整できる。また、ＴＣＯＮからＬＣＤソースドライバへの出力インターフェースも通常モードにおいて駆動側で如何なる同期動作も行わない。
【００５３】
本願の上記実施例中の制御モジュール６０は更に、画像のビデオストリームが表示のタイミング制御要求に応じて、第１のリフレッシュ率に従い表示装置（ＬＣＤ）に表示されるよう制御する。
【００５４】
また、上記装置が、ハンドシェイク信号を生成する生成モジュール８０と、生成モジュール８０に接続され、ビデオソース端がハンドシェイク信号に基づいてビデオストリームの出力をＯＦＦするように、ハンドシェイク信号をビデオソース端に送信する送信モジュール１１０と、を更に含み、ここで、ビデオソース端はビデオストリームを生成して第１のリフレッシュ周波数に従ってビデオストリームを送信することが好ましい。
【００５５】
制御モジュール６０は、画像データ記憶モジュール４０に接続され、ビデオフレームの出力時間を制御するための制御信号を生成してビデオフレームの定時且つ同期送信を制御するクロックジェネレータモジュールを更に含むことが好ましい。
【００５６】
本願の上記実施例における受信モジュール２０、画像データ記憶モジュール４０、制御モジュール６０、生成モジュール８０、送信モジュール１１０、及びクロックジェネレータモジュールはソフトウェアで実現されることが好ましいが、ハードウェア又はハードウェアとソフトウェアとの組み合せによって実現されることも可能であり、想到できる。即ち、本願の上記機能モジュールはコンピュータ又はサーバーの中のプロセッサーや、演算論理装置などのハードウェア構造によって実現されることができる。
【００５７】
本願の上記実施例は更に、上記ビデオリフレッシュ周波数の制御方法又は装置を実行させるコンピュータプログラム及び当該コンピュータプログラムを記憶する記憶装置を提供することができる。
【００５８】
上述のように、本発明によれば、以下の技術的効果を実現できる。本願において、既存のｅＤＰ規格に定義されたＰＳＲモードを改善した。当該技術は表示側（ＧＰＵ側）のエネルギーを節約できるメリットを有し、そのうえで、本発明はパネル側のエネルギーの性能を改善した。当該改善は、エネルギーに敏感である環境、例えばノートパソコン、タブレットＰＣ、携帯電話に非常に重要である。普通のＰＳＲ機能に比べ、ＰＳＲ-ＤＲＲＣ機能によると、１０〜２０％のエネルギー消費を節約できる。
【００５９】
当業者にとって、上述の本発明の各モジュール又は各ステップは共通の計算装置によって実現することができ、単独の計算装置に集中させるか、或いは複数の計算装置から構成されるネットワークに分布させることもでき、代わりに、計算装置が実行可能なプログラムコードによって実現することもできるので、それらを記憶装置に記憶して計算装置によって実行することができ、又は夫々集積回路モジュールを製造し、又はそのうちの複数のモジュール又はステップを単独の集積回路モジュールとして製造して実現することができることは明らかなことである。このように、本発明は如何なる特定のハードウェアとソフトウェアの組合せにも限定されない。
【００６０】
以上は、本発明の好適な実施例に過ぎず、本発明を限定するものではない。当業者であれば本発明に様々な修正や変形が可能である。本発明の精神や原則内での如何なる修正、置換、改良なども本発明の保護範囲内に含まれる。
【図１】
2015511321.tif 000004
【図２】
2015511321.tif 000005
【図３】
2015511321.tif 000006
【図４】
2015511321.tif 000007
【図５】
2015511321.tif 000008
【国際調査報告】
2015511321.tif 000009
2015511321.tif 000010
2015511321.tif 000011
2015511321.tif 000012